Podtech/llm-jp-corpus-v4-ja_patent huggingface dataset:
(57)【要約】【課題】各被包装物に付されているバーコードを読取装置に読み取らせることを妨げる遮蔽手段として、外観上好ましい白色等の薄色の水玉模様を印刷表示しながら、各被包装物のバーコードが読取装置により読み取られないようにした集積包装フィルムを提供する。【解決手段】各被包装物に付されているバーコードの読み取りを妨げる遮蔽手段として白色等の薄色の水玉模様５を印刷すると共に集積された全被包装物についての単一のバーコード７を表示した透明な集積包装フィルムにおいて、  各被包装物のバーコードの読み取りを妨げる濃色の遮蔽線９を表示したことを特徴とする集積包装フィルム。【選択図】図１
0003140765.tif 000002
【実用新案登録請求の範囲】
【請求項１】
各被包装物に付されているバーコードの読み取りを妨げる遮蔽手段として白色等の薄色の水玉模様を印刷すると共に集積された全被包装物についての単一のバーコードを表示した透明な集積包装フィルムにおいて、
各被包装物のバーコードの読み取りを妨げる濃色の遮蔽線を表示したことを特徴とする集積包装フィルム。
【考案の詳細な説明】
【技術分野】
【０００１】
本考案は、集積包装フィルムに関するものであり、更に詳しくは、集積状態で販売される缶詰、瓶詰、箱体等の被包装物を集積包装するための集積包装フィルムに係るものである。
【０００２】
本出願においては、集積状態で販売される缶詰、瓶詰、箱体等を単に被包装物という。
【背景技術】
【０００３】
透明な集積包装フィルムにより包装された被包装物の場合には、店頭にて各被包装物に付されているバーコードをそれぞれ読取装置に読み取らせることは面倒であるため、集積された各被包装物のバーコードの読み取りを妨げる遮蔽手段を備えさせると共に集積された全被包装物についての単一のバーコードを表示した集積包装フィルムが既に用いられている。
【０００４】
このような遮蔽手段として、本出願人の出願による実開昭６３−１９５３６２号公報（第１図、第２図）に示すように、水玉模様がしばしば集積包装フィルムに印刷されている。
【特許文献１】実開昭６３−１９５３６２号公報
【考案の開示】
【考案が解決しようとする課題】
【０００５】
集積包装フィルムに印刷される水玉模様は、白色等の薄色のものが外観上好ましいと一般に考えられている。
【０００６】
しかるに、白色等の薄色の水玉模様を透明な集積包装フィルムに印刷しても、このような水玉模様がバーコードの読み取りを妨げる遮蔽手段として機能せず、集積包装された各被包装物に付されているバーコードが読取装置により読み取られるおそれがある。
【０００７】
もとより、集積包装フィルムに黒色等の濃色の水玉模様を印刷すれば、該水玉模様は各被包装物に付されているバーコードが読取装置により読み取られることを確実に防止し得るものと思われるが、黒色等の濃色の水玉模様を印刷した集積包装フィルムは、被包装物の包装手段としては、外観上、好ましいものではない。
【０００８】
以上の如き状況に鑑み、本考案は、各被包装物に付されているバーコードを読取装置に読み取らせることを妨げる遮蔽手段として、外観上好ましい白色等の薄色の水玉模様を印刷表示しながら、各被包装物のバーコードが読取装置により読み取られないようにした集積包装フィルムを提供しようとしてなされたものである。
【課題を解決するための手段】
【０００９】
上記課題を解決するために、本考案は下記の集積包装フィルムを提供する。
【００１０】
各被包装物に付されているバーコードの読み取りを妨げる遮蔽手段として白色等の薄色の水玉模様を印刷すると共に集積された全被包装物についての単一のバーコードを表示した透明な集積包装フィルムにおいて、
各被包装物のバーコードの読み取りを妨げる濃色の遮蔽線を表示したことを特徴とする集積包装フィルム。
【考案の効果】
【００１１】
本考案による集積包装フィルムにおいては、各被包装物に付されているバーコードを読取装置に読み取らせることを妨げる遮蔽手段として、外観上好ましい白色等の薄色の水玉模様を印刷表示しているにもかかわらず、各被包装物に付されているバーコードは、濃色の遮蔽線により読み取りが防止される。
【００１２】
したがって、店頭におけるレジ係りは、集積された全被包装物についての単一のバーコードのみを読取装置に確実に読み取らせることができる。
【考案を実施するための最良の形態】
【００１３】
本考案による透明な集積包装フィルムは、各被包装物１に付されているバーコード３の読み取りを妨げる遮蔽手段として白色等の薄色の水玉模様５を印刷すると共に集積された全被包装物１、１・・・についての単一のバーコード７を表示している点においては、従来の集積包装フィルムと同様である。
【００１４】
白色等の薄色の水玉模様５とは、各被包装物１に付されているバーコード３上に位置したときでも、色が薄いため、該バーコード３の読み取りを妨げる遮蔽手段として機能しないおそれのあるものをいう。
【００１５】
しかしながら、白色等の薄色の水玉模様５は、集積包装フィルムに印刷したときには、該集積包装フィルムは極めて好ましい外観を呈する。
【００１６】
しかして、本考案においては、各被包装物１のバーコード３の読み取りを妨げる濃色の遮蔽線９を表示する。
【００１７】
濃色の遮蔽線９とは、例えば紺色、黒色、茶色、緑色、青色等の遮蔽線であって、各被包装物１に付されているバーコード３上に位置したときに、色が濃いため、該バーコード３の読み取りを妨げる遮蔽手段として機能するものをいうものとする。
【００１８】
遮蔽線９は、各被包装物１のバーコード３におけるバー３ａと略平行になり、又は各被包装物１のバーコード３におけるバー３ａに対し傾斜するように印刷形成することが望ましい。けだし、遮蔽線９は、各被包装物１のバーコード３におけるバー３ａと略平行になり、又は該バー３ａに対し傾斜するように、該バーコード３上に位置したときに、該バーコード３の読み取りを確実に妨げるからである。
【００１９】
遮蔽線９は、必ずしも直線である必要はなく、曲線であっても差し支えない。
【００２０】
遮蔽線９は、図示の事例においては２本形成されているが、遮蔽線９は１本であってもよく、３本以上であっても差し支えない。
【００２１】
また、各被包装物１のバーコード３の位置が図２に示すように上下方向に揃っているときには、遮蔽線９は、集積包装フィルムの全面に形成する必要はなく、集積包装フィルムにおける集積された全被包装物１、１・・・についての単一のバーコード７の近傍に形成すれば足りる。
【図面の簡単な説明】
【００２２】
【図１】本考案による集積包装フィルムの一例を示す平面図である。
【図２】同上集積包装フィルムにより缶詰を集積包装した状態を示す斜視図である。
【符号の説明】
【００２３】
１  被包装物
３  バーコード
３ａ  バー
５  水玉模様
７  単一のバーコード
９  遮蔽線
【図１】
0003140765.tif 000003
【図２】
0003140765.tif 000004
(57)【要約】      （修正有）【課題】防水手袋は装着時に手を差し入れたあと、引き上げるために親指をその内側に差し入れることで手が汚れることを防止する。【解決手段】防水手袋の手の平側３に本体１を引き上げる目的で突起物２を、差し入れ方向と直角に設けることにより、防水手袋内側に指を差し入れる事がなくなるため、手が汚れる事がなくなる。この突起を横方向最小限の形状とする事により、防水手袋本来の作業性、洗浄性の向上になる。【選択図】図１
0003140762.tif 000002
【実用新案登録請求の範囲】
【請求項１】
防水手袋の手首部分の手の平側に差し込み方向と直角の突起を設け、利用することで装着時に手を汚さない防水手袋。
【考案の詳細な説明】
【技術分野】
【０００１】
この考案は、防水手袋の形状に関する。
【背景技術】
【０００２】
従来の防水手袋は装着時に指を内側に入れて装着すると、内側の手が汚れる。
【０００３】
この改善策として、防水手袋にたてヒダを設けたものがあるが、手の甲側であり通常の装着方法にはそぐわない位置である。
【０００４】
またヒダの形状が大きく複雑な為に防水手袋としての作業性や洗浄に差し障りが出る。
【特許文献１】特開平８−２８４００７
【考案の開示】
【考案が解決しようとする課題】
【０００５】
防水手袋を装着する時に内側に指を入れて引き上げると手が汚れてしまう。
【０００６】
従来の改善策技術では作業性や洗浄性に向上がない。
【課題を解決するための手段】
【０００７】
本考案は差し入れ口の手の平側に、差し入れ方向と直角に設けた突起をつまみ、引き上げる。
【考案の効果】
【０００８】
手の平側に、差し入れ方向と直角に設けた突起をつまむことにより力を入れやすく、
装着時に防水手袋内側に指を差し入れる事もない。
【０００９】
また、突起が従来より小さいため、作業性、洗浄性に優れている。
【考案を実施するための最良の形態】
【００１０】
この考案の一実施形態を、図１に示す。
【００１１】
「実施形態の効果」
この実施形態によれば、突起があることにより、装着時に防水手袋内側に指を入れずに引き上げ、装着する事ができる。
【００１２】
また加工される突起物も最小であり、作業性、洗浄性が向上する。
【００１３】
「他の実施形態」
他の実施形態では、突起物の設け方やその大きさにこだわるものではない。
【図面の簡単な説明】
【００１４】
【図１】この考案の一実施形態を示す上方からの図である。
【図２】この考案の一実施形態を示す突起部の差し込み方向の断面図である。
【符号の説明】
【００１５】
１  防水手袋本体            ２  突起
３  手の平側                ４  差し入れ口
５  防水手袋内側
【図１】
0003140762.tif 000003
【図２】
0003140762.tif 000004
(57)【要約】      （修正有）【課題】部屋は片付き広く使える。部屋も占有せず、寝具は隠れて箪笥として変貌するから寝床臭くなく、多目的にも活用できるベット自動収納家具の提供。【解決手段】ポンプでエアーを吹き込めば、スプリングも伸び、自動的に気密袋も膨らんでベッドになり、逆に、エアーを抜けば、スプリングの縮小力と相まって、自動的に縮小し家具の中に納まる。【選択図】図１
0003140717.tif 000002
【実用新案登録請求の範囲】
【請求項１】
空気の圧力で家具から自動的にはみだし、膨張してベッドの形になり、減圧と共に螺旋スプリングの縮小力と相まって、自動的に家具の中に納まる気密袋。
【考案の詳細な説明】
【技術の分野】
【０００１】  本考案は、ベッドを自動的に収納する家具に関する。
【背景技術】
【０００２】  従来のベッドでは、寝室に置き据えで、移動するにも嵩も高くて重くて、簡単に運べず部屋も占有していた。さらに、簡易式、折りたたみベッドであるが、それでも、手で折りたたみ、手で持って運ぶ事になり、自動的に収納はできない。
【考案の開示】
【考案が解決しようとする課題】
【０００３】  しかし、これでは使う度に手で持ち出し、また、要らなければ、そのつど手に持って仕舞わなくてはならず大変に不便である。さらに、据え置きのベッドでは寝室用の部屋として占有し、他の部屋への転用も早急にはできず、部屋数の少ない現在の住宅事情では大いに不便であり、特に、ワンルームマンションの一部屋では寝床臭く邪魔な存在でもある。
【課題を解決するための手段】
【０００４】そこで、角形の螺旋スプリングを用意する。仮に、高さ６０ｃｍで、幅９０ｃｍの角形の螺旋スプリングで、針金の太さが１ｃｍとし、２５回巻きなら２５ｃｍの長さにもなり、そのスプリングの中へ角形の少しは伸縮する気密袋を挿入する。挿入する気密袋は螺旋スプリングより一回り小さく、この場合なら、高さ５８ｃｍ、幅８８ｃｍの角形で、長さは２ｍ５０ｃｍでよい。そして、螺旋スプリングの長さを２ｍ５０ｃｍに伸ばせば、針金の間隔も１０ｃｍ幅となっている状態で、中に納まっている気密袋を調整して膨張すれば、その袋と針金とが密着する。言い換えれば、スプリングの針金が１０ｃｍ間隔で気密袋に食い込んでおり、この状態で、接着剤で貼り付ければ、双方が連動して動くことになる。気密袋が２ｍ５０ｃｍの長さへ膨らめば、螺旋スプリングも２ｍ５０ｃｍへ伸びる仕掛けとなり、逆に、螺旋スプリングが縮小すれば、螺旋スプリングの正味の長さ２５ｃｍで、プラス、生地の噛み代分を加えても５０ｃｍ程には気密袋も縮小する。この伸縮する気密袋を今後、伸縮ベッドと呼ぶ。中側は気密袋で、鋼線の螺旋スプリングは外側に露出し、身体に直に触れる恐れもあるから、これを覆う為に布を被せ、同じく接着剤で貼れば、身体も傷付けず、当たりも柔らかく弾力のある伸縮ベッドになる。この伸縮ベッドの右端を二段式家具の下段の内側の奥に固定する。二段式家具は上段と下段で、下段の高さは７０ｃｍで、幅９５ｃｍ、奥行き５５ｃｍとすれば、縮小時は５０ｃｍの長さ、高さ６０ｃｍ、幅９０ｃｍの伸縮ベッドは充分に余裕をもって納まる。気密袋に連結するエアーポンプの吹き出しで、自動的に２ｍ５０ｃｍの長さへ膨張してベッドになり、今度は、エアーの減圧と、螺旋スプリングの収縮力と相まって、家具の下段の中へ自動的に収納する考案である。さらに、エアーポンプの装備があるから、ヒーターも取り付けやすく、気密袋の中へも熱風を吹き込み、その発散でシーツも暖まる。熱風が上段の家具の中を温めれば、シーツや掛け毛布も乾かす乾燥装備の家具にもなり、殺菌灯もあれば更に清潔になる。
【考案の効果】
【０００５】  自動収納する伸縮ベッドであるから、部屋は片付き広く使える。部屋も占有せず、寝具は隠れて箪笥として変貌するから寝床臭くなく、多目的にも活用できる。スプリングの弾力と、エアーからの膨張力でベッドの弾力も、体重に合わせて微調整も自動的にできるから、寝床が硬い、軟らかいなどの不服も出ず、背中に敷く敷き布団もマットレスも要らない。ヒーターの自動温度調整で寒さ知らずに快適に眠れるから、保温の役目である敷き布団も要らず、暑ければ送風に切り替えればよい。ただ、気密袋が汚れぬ為にシーツを敷くだけで、冬布団と夏布団の敷き替えも要らず、それを乾す手間も要らず、それを収納する押入れも不要となる。上段は乾燥家具だから、ベッドから剥がすなり、即、ハンガーに掛けて収納でき、就眠する時には殺菌され心地よく乾いたシーツを気密袋に掛けるだけで瞬時にベッドへと変化する。
【考案を実施するための最良の形態】
【０００６】  本考案に係るベッド自動収納家具は、図１に示すように、家具１の下段に角形の螺旋状のスプリング４の入った気密袋２を備えている。そして、家具の下段の奥と気密袋の一端とが固定してあり、もう一端は伸縮自在にしてある。不要時には、スプリングの縮小力と、ポンプ３でエアーを抜けば気密袋も縮小して、下段の箱の中に納まる形態である。就眠する時には、スイッチを入れれば、エアーポンプが作動し、気密袋を充満する構造である。そして、上段の乾燥家具のハンガーに掛けてあるシーツを気密袋へ掛ければ、即、ベッドに早変わりする。
【図面の簡単な説明】
【０００７】
【図１】  本考案に係るベッド自動収納家具の断面図であり、気密袋が家具からはみ出した図である。
【図２】  本考案に係るベッド自動収納家具の斜視図であり、気密袋が家具からはみ出した図である。
【図３】  家具からはみ出し、螺旋スプリングの露出を隠す布を被せ、ベッドに成形した斜視図である。
【図４】  ベッドである気密袋が縮小して、家具の中に納まった斜視図である。
【符号の説明】
【０００８】  １      ベッド自動収納家具
２      気密袋
３      エアーポンプ
４      螺旋スプリング
【図１】
0003140717.tif 000003
【図２】
0003140717.tif 000004
【図３】
0003140717.tif 000005
【図４】
0003140717.tif 000006
(57)【要約】      （修正有）【課題】パーティー時皿と箸の所有を明らかにし、余分な物を使わずに済み、持ち帰り使用出来、エコロジーに役立つ名入り皿止め用クリップ付箸さしの提供。【解決手段】皿止め用クリップ４半面をパーティー時皿に装着して損飾ない装飾を和紙等で施し、名入りの紙３を取り付け箸さし１も合わせて取り付けることで、皿と箸の所有を明らかにするものである。且つクリップ裏面に磁石７を取り付け付加価値をつけ持ち帰りゴミにしない工夫をしたエコロジーに役立つものである。【選択図】図２
0003140715.tif 000002
【実用新案登録請求の範囲】
【請求項１】
クリップ片面を装飾し、名を入れた、皿止め用クリップ付はしさし
【請求項２】
クリップ裏面に磁石を取り付けた名入り皿止め用クリップ付はしさし
【請求項３】
装飾先端に箸をさし止める輪を設けた名入り皿止め用クリップ付はしさし
【請求項４】
使用後はしさしの輪、名入り紙は取りはずせクリップ磁石となる名入り皿止め用クリップ付はしさし
【考案の詳細な説明】
【技術分野】
【０００１】  本考案は皿に止める為にクリップを装飾し、名入れ紙、磁石を取り付け、はしさしを設けたクリップ付はしさしに関するものである。
【技術背景】
【０００２】  パーティーに於いて皿と箸が解らなくなる事がある。
【考案の開示】
【考案が解決しようとする課題】
【０００３】  パーティーに於いて皿と箸に名を入れる事は困難であることを解決しようとするものである。且つ使用後持ち帰り使えるものを考案しようとするものである。
【考案を解決するための手段】
【０００４】  本考案は皿に止める為のクリップ片面を装飾し、名入り紙を取り付け、裏面に磁石を取り付け、装飾先端に箸をさし止める輪を設ける事により問題点を解決している。且つ使用後名入り紙、はしさしは取りはずせるようにし、クリップ付磁石として使用出来る。
【考案の効果】
【０００５】  上述のように本考案の名入り皿止め用クリップ付はしさしはクリップに装飾、名入り紙を取り付け箸さしとしての輪を設ける事により皿と箸が解らなくなる事態の解決になる。且つ余分な皿や箸の使用がなくなりエコロジーに役立つ。そして使用後、箸さしと名入り紙を外すことでクリップ付磁石として使用可能である。
【考案を実施するための最良の形態】
【０００６】  装飾部分と裏のクリップをつまみ皿に止め箸を装飾部分先端の輪にさして使う。
【実施例】
【０００７】  以下、添付図面に従って実施例を説明する。１は和紙でワイヤーを挟み込んだ帯の中央を輪にした箸さしを２にのりづけした。２は和紙で形作った装飾用立体、３は名入り紙を２にのりづけしたものである。４のクリップと２の装飾用立体をつまんで皿に取り付け１の箸さしに箸をさして使う。【０００８】  使用後１の箸さし、３の名入り紙を外し４に取付けた７の磁石によりクリップ付磁石として使用可能である。
【図面の簡単な説明】
【０００９】
【図１】本考案の名入り皿止め用クリップ付はしさしの正面図である。
【図２】本考案の名入り皿止め用クリップ付はしさしの断面図である。
【図３】本考案の名入り皿止め用クリップ付はしさしの裏面図である。
【符号の説明】
【００１０】１  箸さし
２  装飾用立体
３  名入り紙
４  クリップ
５  装飾用立体の土台厚紙
６  装飾用立体の成形綿
【図１】
0003140715.tif 000003
【図２】
0003140715.tif 000004
【図３】
0003140715.tif 000005
(57)【要約】      （修正有）【課題】紛失しやすく、また、取り扱いに手間のかかるしおりを用いることなく、しおりの機能を有効に利用できるようにする。【解決手段】表側部２と裏側部３とが一体に形成され本Ｂに装着使用されるブックカバー１において、裏側部３に、本Ｂの頁Ｐ面に係止するしおり片１０が一体に備えられてなることを特徴とするブックカバー。【選択図】図２
0003140711.tif 000002
【実用新案登録請求の範囲】
【請求項１】
表側部と裏側部とが一体に形成され本に装着使用されるブックカバーにおいて、
前記裏側部に、前記本の頁面に係止するしおり片が一体に備えられてなることを特徴とするブックカバー。
【考案の詳細な説明】
【技術分野】
【０００１】  この考案はブックカバーの機能性の向上に関する。
【背景技術】
【０００２】  小説等の読書に際しては、その読み始めのページが分かるようにしおりを使用する場合があり、特に最近では取り外すことなく頁がめくることができるもの、また、開いた頁の押さえ機能を発揮するもの等、機能性に優れたものが種々提供されている。
【考案の開示】
【考案が解決しようとする課題】
【０００３】  しかしながら、しおりは単体であって本に係止して使用するものであるので本から離脱して紛失したり、また、非使用時にどこかに置き忘れてしまうことが往々に発生した。さらに、本への装着、取り外しに手間がかかる問題もあった。【０００４】  この考案は、しおりを用いることなく、しおりの機能を有効に利用できるようにすることを目的とする。
【課題を解決するための手段】
【０００５】  この考案では、表側部と裏側部とが一体に形成され本に装着使用されるブックカバーにおいて、前記裏側部に、前記本の頁面に係止するしおり片が一体に備えられてなることを特徴とするブックカバーを提供する。【０００６】  この考案によれば、ブックカバーに一体に設けられたしおり片を本の頁面に係止することにより、従来のしおりを使用する場合と同様の作用が発揮される。しおり片をブックカバーと一体としているので、従来におけるしおりの紛失、置忘れが回避され、また、本への装着、取り外しの手間も省略される。【０００７】  しおり片は、ブックカバー本体の材質等に対応して合成樹脂や紙等の適宜の材質により形成される。しおり片のブックカバー裏面部における配置位置は、本の頁面にしおり片が係止する位置であれば適宜であってよい。
【考案の効果】
【０００８】  この考案のブックカバーを用いることで、しおりを用いることなくしおりの機能を有効に利用でき、これによりしおりの紛失、置き忘れが回避されるとともに、しおり取り扱いの手間も省略される。
【考案を実施するための最良の形態】
【０００９】  図１はこの考案のブックカバーの内面側の斜視図である。【００１０】  ブックカバー１は全体が合成樹脂製シートよりなり、表側部２と裏側部３とが中央部４により折れ曲がり可能に一体に形成されており、表面シート６の裏側の両側に裏面シート７、７が取り付けられ、その表面シート６と裏面シート７、７との間それぞれを本Ｂのおもて及びうらの表紙それぞれぞれの差し入れ部８、８としており、この基本構成は従来のブックカバーと同様である。【００１１】  以下、特徴構成を説明する。１０はしおり片であり、その基部１１が裏側部３を構成する表面シート６の上部に、表面シート６に取り付けられたネジ軸部１３に軸支されることで表面シート６にある程度接触する状態において回動可能に取り付けられている。【００１２】  図２は上記ブックカバー１の本Ｂへの装着使用状態を示し、しおり片１０は本の読み終わり頁の裏面側に位置し、その先端側の係止部１２が本Ｂの頁Ｐの上縁より上方に突出する位置とされるとともに、係止部１２が手前側に変位されることで開かれた頁Ｐの上縁に弾力的に係止される。これにより本Ｂを読む際にはその開かれた頁Ｐが係止部１２に押さえられて手で頁Ｐを押さえることなく読書が容易に行える。頁Ｐをめくる際には、係止部１２が頁Ｐの上縁の端部近傍に係止するとともにその下縁１２ａが湾曲しており、さらにしおり片１０が弾力性を有することで、しおり片１０を取り外すことなくそのめくり動作が行える。読書を止めた際にはしおり片１０をそのままその位置に残すことで、次の読書再開時にすぐその頁Ｐを開くことができる。なお、しおり片１０を使用しない場合には、図１の実線で示す位置にしおり片１０を配置することで、外部から目に触れず見栄えがよいものとなる。【００１３】  図３は他の実施形態を示し、このものではしおり片１０がその基部１１が溶着により表面シート６の上部内面に固着することで取り付けられている。【００１４】  図４はさらに他の実施形態を示し、このものでは裏面シート７の上部に一体にしおり片１０を設けている。すなわち、裏面シート７の内側の上部に突出部２０を一体に設けるとともに略Ｖ型の切り込み部２１を形成することでしおり片１０を形成している。このような構成とすることで、裏面シート７を表面シート６に貼り付け固定することでしおり片１０が形成され、このものは製造容易に得られる利点がある。
【図面の簡単な説明】
【００１５】
【図１】この考案のブックカバーの内面側斜視図
【図２】この考案のブックカバーの使用状態斜視図
【図３】この考案のブックカバーの他の実施形態の内面側斜視図
【図４】この考案のブックカバーのさらに他の実施形態の内面側斜視図
【符号の説明】
【００１６】１    ブックカバー
２    表側部
３    裏側部
７    しおり片
Ｂ    本
Ｐ    頁
【図１】
0003140711.tif 000003
【図２】
0003140711.tif 000004
【図３】
0003140711.tif 000005
【図４】
0003140711.tif 000006
(57)【要約】      （修正有）【課題】不確実な収納しか出来なかった従来の和服にポケットを設け、和服の機能の改良、向上を計る。【解決手段】和服本体１にポケット２ａ、２ｂを設け、此によって携帯物品の収納の確実性の向上、及び物品収納量の増加に役立つ。【選択図】図１
0003140714.tif 000002
【実用新案登録請求の範囲】
【請求項１】
和服本体にポケットを設け、携帯物品の収納の確実性の向上、及び物品収納量の増加を可能にした事を特徴とするポケット付和服
【考案の詳細な説明】
【技術分野】
【０００１】本考案は、本体にポケットを設けた和服に関するものである。
【背景技術】
【０００２】明治期を境にして、洋服は日本に積極的に取り入れられたが、西洋化された生活内での実用性に優る事が評価され洋服が日常着として定着した結果、和服は日本国民の日常着としての地位を失い、かろうじて非日常着としての礼服、高級服として残存した。然るに、非日常着としての位置付けが、却って和服の機能的発展を阻害してしまったと考えられる。
日常的に使用される物は常に必要な機能を付加され、発展するものである。
しかしながら、和服は非日常着になってしまったが為に、実用性が求められず、又、伝統的民族服という現在の和服の存在意義が持つ其の保守性故に、機能上の発展、改良が阻害されてしまったのである。
従って、此１世紀に渡って和服は素材や布柄のデザインが変遷してきたのみで、根本的な機能性の向上が図られていないのである。
【考案の開示】
【考案が解決しようとする課題】
【０００３】従来の和服に於いては、携帯物品の収納方法は、袂に納めるか、懐に入れるかである。
しかし、袂に納めるという収納方法は、着用時に袖口が下になると収納物が袖口から出てしまう為、袂での収納中は常に手先を上げている状態、いわゆる懐手を維持しなければならない。
更に、袂自体が腕を覆っている為、収納中に腕を動かした場合、袂内部の物品が肩を中心点とした腕の動きで生じた遠心力に因り、前述した物品の袖口からの排出、脱落の危険性を高めてしまう為、袂を用いた物品収納中は着用者の動作の制限が洋服に比して大きく、不都合である。
又、懐に納めるという収納方法では、収納物を単に服の布地の隙間に挟んだり、服の内部に於て布地と着用者の肉体の間に押し込んでいるだけの状態であり、服や帯に少しでも緩みが有れば収納物の脱落の危険性が有り、此の収納方法は確実とは言い難い。そこで、和服本体にポケットを設け、前述の欠点を解決しようとするものである。
【課題を解決するための手段】
【０００４】本考案は、和服本体、体側部左右にポケットを設ける事で、携帯物品の収納の確実性の向上、及び物品収納量の増加を可能にし、此を以て前述の問題点を解決している。
【考案の効果】
【０００５】前述の様に、本考案のポケット付和服は、和服本体にポケットを付加する事により、携帯物品の収納の確実性の向上、及び物品収納量の増加が実現するのである。
ポケットは、其自体が物品を収納する事に最適化したものであり、此を用いた物品の収納は従来の和服に於ける袂や懐を利用する収納に比して確実であり、又、従来の和服に比してポケットの付加による分、物品収納量は増加する。更にポケットは胴体部に有る為其の収納状態は腕の動作による影響は受けない。仮に服や帯に多少の緩みを生じてもポケットの収納の確実性は低下しない。つまり従来の和服に比して物品携帯中の動作の制限が緩和されるのである。以上述べた様に本考案は和服の収納機能向上に役立つ。
【考案の実施をする為の最良の形態】
【０００６】以下、添付図面に従って本考案の形態について説明する。図１に於いて１は和服本体、２ａは左ポケット、２ｂは右ポケットである。ポケットの位置は和服本体の横の縫い目、いわゆる脇縫いと呼ばれる線を覆う様な位置に設ける。此は和服着用時に体側部になる部分であり、洋服のズボンのポケットが前面寄りに設けられるのに比して此が本考案の特異点である。此の理由は、ポケットを前面寄りに設けた場合、着用時に前身頃に於ける合褄幅が後ろ身頃の右ポケットを被覆し其の収納を阻害するからである。
従って着用時の布地の重複による収納機能への影響を避ける為、本考案に於いてはポケットの位置は通常の衣服に比して体側部寄りに設けるのである。此によって布地の重複によるポケットの収納機能の低下を回避し、更にポケットの位置が体側部に有る事で袴の着用時、其の横の隙間、一般に股立ちという呼称の部分越しにポケットの使用が可能となる。
【実施例】
【０００７】以下、添付図面に従って一実施例を説明する。１は木綿、化学繊維等適宜素材で織縫、構成した和服本体。２ａ、２ｂは本体同様の素材で構成されたポケットである。
実施にあたっては従来の和服と同様、そのまま着用するだけである。
【産業上の利用可能性】
【０００８】本考案は礼服のみならず浴衣にも利用すべきである。寧ろ、物品収納の為の小物入れを持ち歩ける礼服よりも、夏季の祭礼時に気軽に着て行き、其の人込みの混雑や煩多な財布の出納を考えれば、バッグを必要とせず、財布等種々の小物の出納が簡易な本考案は浴衣に於いてこそ最適な実施、機能の発揮が成されると考えられる。
【図面の簡単な説明】
【０００９】
【図１】本考案のポケット付和服の一実施例を示す後面図である。
【符号の説明】
【００１０】１    和服本体
２ａ  左ポケット
２ｂ  右ポケット
【図１】
0003140714.tif 000003
(57)【要約】【課題】  本考案は、キャンドルを配置しなくても、キャンドルの炎と同等の視覚的効果を得ることができるリースを提供することを目的とする。【解決手段】  本考案に係るリース１は、光源としてＬＥＤ２が取り付けられたリースであって、当該ＬＥＤ２が、キャンドルの炎と同等の視覚的効果を有していることを特徴としている。これにより、リース１をより華やかに見せることができるとともに、幻想的な雰囲気をリース１に与えることができる。【選択図】  図１
0003140720.tif 000002
【実用新案登録請求の範囲】
【請求項１】
光源としてＬＥＤが取り付けられていることを特徴とするリース。
【請求項２】
前記ＬＥＤが、キャンドルの炎と同等の視覚的効果を有していることを特徴とする、請求項１に記載のリース。
【考案の詳細な説明】
【技術分野】
【０００１】
本考案は、花や葉などで作られた装飾用の輪として知られる「リース（wreath）」に関し、特に、リースに配置される光源として、ＬＥＤを使用することを特徴とするリースに関するものである。
【背景技術】
【０００２】
従来より、花や葉などで作られた装飾用の輪として知られる「リース（wreath）」は、欧米を中心として、特別な行事の際によく使用されている。特に、クリスマスシーズンにおいて、玄関や壁等に飾られるクリスマスリースは、近年、我が国においても、数多く利用され、一般的によく見られるようになってきている。
【０００３】
ところで、このようなリースには、キャンドルが配置されることが多い。そして、キャンドルがリースに配置されることによって、キャンドルの炎特有の視覚的効果により、リースをより華やかに見せることができるとともに、幻想的な雰囲気をリースに与えられることが知られている。
【０００４】
しかしながら、キャンドルを配置したリースは、実際の火を使うため、危険が伴い、使用できる場所等が非常に制限されてしまうという問題がある。また、このような問題を回避するため、キャンドルの代わりに、電球を配置することも考えられるが、電球の光では、キャンドルの炎と同等の視覚的効果を得られず、リースをより華やかに見せたり、リースに幻想的な雰囲気を与えたりすることが期待できない、という問題がある。
【０００５】
本考案者は、このような実情のもと、キャンドルを配置しなくても、キャンドルの炎と同等の視覚的効果を得ることができるリースについて鋭意検討を重ねた。その結果、リースに配置する光源として、キャンドルの炎と同等の視覚的効果を与えることのできるＬＥＤを採用することによって、前述したような問題を解決できる、という知見を得、本考案を創作するに至った。
【考案の開示】
【考案が解決しようとする課題】
【０００６】
本考案は、キャンドルを配置しなくても、キャンドルの炎と同等の視覚的効果を得ることができるリースを提供することを目的とする。
【課題を解決するための手段】
【０００７】
そのための手段として、本考案に係るリースは、光源としてＬＥＤが取り付けられたリースであって、当該ＬＥＤが、キャンドルの炎と同等の視覚的効果を有していることを特徴としている。
【考案の効果】
【０００８】
本考案に係るリースは、キャンドルの炎と同等の視覚的効果を有するＬＥＤが取り付けられているので、リースをより華やかに見せることができるとともに、幻想的な雰囲気をリースに与えることができる。
【考案を実施するための最良の形態】
【０００９】
以下、添付図面に沿って、本考案の「ＬＥＤ付きリース」を実施するための最良の形態について説明する。図１は、本考案の実施形態に係るリース１の外観図である。そして、このリース１には、図示されているように、キャンドルの外観を呈するように構成されているＬＥＤ２が配置されている。
【００１０】
このＬＥＤ２としては、株式会社チェッカーサポート（東京都江東区）等が販売している、商品名「ＹｕＲａ  LED Tea Lights」を使用することが好ましい。この商品で使用されているＬＥＤは、極めてキャンドルの炎と似た視覚的効果を、看る者に与えることができるからである。
【００１１】
なお、本考案において、リースとは、単に、輪（リング）の形状に構成されているものだけではなく、花や葉等を利用した装飾品すべてを含むものとする。
【００１２】
また、本考案は、以上の実施形態で説明されたリースや、図示されたリースに限定されるものではなく、また、本考案の範囲には、本考案の技術的思想が具現化されたものも、当然に含まれるものとする。
【図面の簡単な説明】
【００１３】
【図１】本考案に係るリースの外観図。
【符号の説明】
【００１４】
１：リース
２：ＬＥＤ
【図１】
0003140720.tif 000003
【手続補正書】
【提出日】平成20年1月31日(2008.1.31)
【手続補正１】
【補正対象書類名】実用新案登録請求の範囲
【補正対象項目名】全文
【補正方法】変更
【補正の内容】
【実用新案登録請求の範囲】
【請求項１】
光源としてＬＥＤが取り付けられていることを特徴とするリース。
(57)【要約】      （修正有）【課題】書類・資料・印刷物等を収納ファイルする既存のフォルダーに、ディスクも一緒に収納できるようにしたフォルダーを提供する。【解決手段】真ん中より上に伸びた指スライド穴２と、上辺より突出延長したポケット口止ベロ６とを設けたポケット形成シート３を、既存の各種フォルダー１の所望適当位置に、ポケット口以外の外周辺部で一体化４して、ディスクを収納できるポケット５を形成し、さらにフォルダー１にベロ止穴７を開け、ポケット口止ベロ６を差し込んでポケット口を閉じるようにしたものであり、またポケット口止ベロ６とベロ止穴７を設けずに、ポケット口を閉じないようにしてもよく、逆にそのポケット口に当るフォルダー１部に、ポケット蓋を一体化４して蓋付ポケットにすることにより、ポケット口を閉じるようにしてもよい。【選択図】図１
0003140729.tif 000002
【実用新案登録請求の範囲】
【請求項１】
ほぼ真ん中から上方に伸びる指スライド穴２を開けた上、上辺真ん中からポケット口止ベロ６も延長した、所望形のポケット形成シート３が、既存の各種フォルダーの所望適当位置に、ポケット口以外の外周辺部で一体化４して、ディスクを収納できるポケット５を形成し、さらにポケット口を閉じるため、ポケット口止ベロ６を差し込んで止められるように、フォルダー１にベロ止穴７を開けたディスク収納ポケット付きフォルダー。
【請求項２】
ポケット形成シート３のポケット口止ベロ６と、フォルダー１のベロ止穴７を設けずに、ポケット口を閉じないようにした、請求項１記載のディスク収納ポケット付きフォルダー。
【請求項３】
請求項２に係わるディスク収納ポケット付きフォルダーの、ポケット口に当る部分に、ポケット口を覆える形のポケット蓋８を、その上辺部でフォルダー１に一体化４して、ポケット口を開閉できるようにしたディスク収納ポケット付きフォルダー。
【考案の詳細な説明】
【技術分野】
【０００１】  本考案は、書類・資料・印刷物等を収納ファイルするのに用いられる、プラスチックシートや厚紙製のフォルダーに関する。
【背景技術】
【０００２】  従来のフォルダーは、四角形のプラスチックシートや厚紙を、二つに折り合わして底を一体化し、中に書類・資料・印刷物等を挟み込むものが多く、またフォルダー表面や裏面から内に折返し面を付けて底辺部で溶着し、その中に前記収納物を挟み込んで収納物の脱落を防ぐのもや、表面や裏面とその折返し面でポケットを形成したもの等が知られる。
【考案の開示】
【考案が解決しようとする課題】
【０００３】  以上に述べた従来のフォルダーは、書類・資料・印刷物等を保存ファイルするもので、近年これらの収納物の関連内容を、ディスクにも記録することが多くなっているにも係わらず、ディスクも一緒に収納ファイルできるフォルダーが無く、その必要性が予測されることから、その提供を目的とするものである。
【課題を解決するための手段】
【０００４】  本考案は、上記の目的を達成するために、ほぼ真ん中から上方に伸びる指スライド穴２を開けた上、上辺真ん中からポケット口止ベロ６も延長した、所望形のポケット形成シート３が、既存の各種フォルダーの所望適当位置に、ポケット口以外の外周辺部で一体化４して、ディスクを収納できるポケット５を形成し、さらにポケット口を閉じるため、ポケット口止ベロ６を差し込んで止められるように、フォルダー１にベロ止穴７を開けたものである。【０００５】  さらに本考案は、ポケット形成シート３のポケット口止ベロ６と、フォルダー１のベロ止穴７を設けずに、ポケット口を閉じないようにしてもよく、逆にそのポケット口に当る部分に、ポケット口を覆える形のポケット蓋８を、その上辺部でフォルダー１に一体化４して、ポケット口を開閉できるようにしてもよい。
【考案の効果】
【０００６】  上述のようにした本考案のフォルダーは、資料・書類・印刷物等をフォルダー１部に収納して、関連ディスクをポケット５部に収納することにより、これらを一緒のフォルダーに収納して保管ファイルすることができる効果があり、さらにポケット口止ベロ６やポケット蓋８を設けたものは、ポケット５から収納ディスクの脱落を防止できる効果がある。
【考案を実施するための最良の形態】
【０００７】  図１に示すように、フォルダー１と同素材の四角形プラスチックシートで、ディスクが入る大きさのポケット形成シート３には、収納ディスクの穴に指をかけて、ディスクを上方にスライドさせてポケット５から出せるように、真ん中あたりから上方に向かって楕円状の指スライド穴２を開け、さらにポケット口を閉じるために、適当大で先をアールにしたＵ形のポケット口止ベロ６を上辺真ん中より延長しており、前述のように形成したポケット形成シート３の左右下辺部を、既存フォルダー１の表面真ん中あたりに、超音波シール溶着で一体化４してポケット５を成しており、さらにそのポケット口止ベロ６をフォルダー１に開けた、溝穴状のベロ止穴７に差し込んで止めることにより、ポケット口が閉じられるようにして、収納ディスクのポケット５からの脱落を防いだものである。
【実施例】
【０００８】  また図２に示すように、ポケット形成シート３のポケット口止ベロ６と、フォルダー１のベロ止穴７を設けずに、ポケット口を閉じないようにしてもよく、そしてポケット５の形は、図３に示すように、ディスクの形に添って入れられるＵ形や自由な形にしてもよく、さらに図４に示すように、ポケット口を蓋で開閉できるように、ポケット口を覆える形のポケット蓋８の上辺部を、フォルダー１のポケット口に当る位置に、超音波シール溶着等で一体化４してもよく、ポケット口止ベロ６とベロ止穴７は他の止め方にしてもよい。【０００９】  前述のようにした本考案は、既存のフォルダー１について様々な色物や、各種形態のプラスチックシート製フォルダー１を用いてもよく、その上粘着や接着等による一体化４にすれば、厚紙製のフォルダーを用いることもできる。そして一体化４には、超音波シール溶着以外の溶着方法を用いてもよく、またポケット５のフォルダー１への取付位置は、表面や中面を問わず所望の自由な位置にしてもよく、さらにフォルダー１のサイズは、ポケット５と同寸かそれ以上の所望サイズにしてもよい。
【図面の簡単な説明】
【００１０】
【図１】  本考案のディスク収納ポケット付フォルダーの、一実施例を示した正面図である。
【図２】  本考案のディスク収納ポケット付フォルダーの、ポケット口を閉じない一実施例を示した正面図である。
【図３】  本考案のディスク収納ポケット付フォルダーの、ポケットの形をＵ形にした実施例を示した正面図である。
【図４】  本考案のディスク収納ポケット付フォルダーの、ポケット蓋８を取り付けた一実施例を示した正面図である。
【符号の説明】
【００１１】    １  フォルダー
２  指スライド穴
３  ポケット形成シート
４  一体化
５  ポケット
６  ポケット口止ベロ
７  ベロ止穴
８  ポケット蓋
【図１】
0003140729.tif 000003
【図２】
0003140729.tif 000004
【図３】
0003140729.tif 000005
【図４】
0003140729.tif 000006
(57)【要約】      （修正有）【課題】とろもれのない良い製品ができる支柱型枠を提供する。【解決手段】空間部分仕切型枠と既存型枠とが接合する部分の隙間を、その1辺が隙間より大きい多角柱形状またはＬ字型形状の支柱型枠を既存型枠の所定の位置に取り付けて、空間部分仕切型枠を支柱型枠と支柱型枠の間に挿入しながら装着することにより解消するものである。【選択図】図１
0003140722.tif 000002
【実用新案登録請求の範囲】
【請求項１】
コンクリートブロック内部に植生空間を設けた多空間コンクリートブロックを成型する型枠で、空間部分となる仕切型枠が既存型枠と接合する部分の隙間を、その1辺が隙間より大きい支柱型枠を既存型枠に取り付けることによって解消することを特徴とした支柱型枠。
【考案の詳細な説明】
【技術分野】
【０００１】
本考案は、河川護岸、道路法面に敷設するコンクリートブロック内部に植生空間を設けた多空間コンクリートブロックを成型する型枠に関するものである。
【背景技術】
【０００２】
実用新案登録第３１２４６１７号の多空間コンクリートブロックの成型用空間部分仕切型枠において、空間部分仕切型枠と既存型枠が接合する部分の隙間を解消するもので、同一出願人によって出願された。
【考案の開示】
【考案が解決しようとする課題】
【０００３】
コンクリートブロック内部に植生空間を設けた多空間コンクリートブロックを成型するために、既存型枠に空間部分仕切型枠を装着する際、既存型枠のひずみが原因でその接合部分に数ｍｍの隙間が生じ、コンクリートを打設するとセメントペーストがその隙間にまわり、いわゆるとろもれの原因となり良い製品ができない。本考案は、この欠点を解決しようとするものである。
【課題を解決するための手段】
【０００４】
本考案は、その1辺が隙間より大きい多角柱形状またはＬ字型形状の支柱型枠を既存型枠に取り付け、支柱型枠と支柱型枠の間に空間部分仕切型枠を挿入することにより、空間部分仕切型枠と既存型枠の隙間を解消するものである。
【考案の効果】
【０００５】
多空間コンクリートブロックを成型する既存型枠はすでに数年使用されているためその側板や底板には数ｍｍのひずみがあり、これに空間部分仕切型枠を装着すると隙間が生じ、とろもれの原因となる。そこで、その1辺が隙間より大きい支柱型枠を既存型枠の所定の位置に取り付けて、支柱型枠と支柱型枠の間に空間部分仕切型枠を挿入することによって隙間を解消し、とろもれのない良い製品を製造できるという効果がある。
【考案を実施するための最良の形態】
【０００６】
図１に示すように、空間部分仕切型枠３が既存型枠２の側板や底板と接合する場所に、その1辺が隙間より大きい支柱型枠１を既存型枠２の所定の位置に取り付ける。次に図２に示すように、空間部分仕切型枠３を、支柱型枠１と支柱型枠１の間に挿入しながら所定の位置に装着する。支柱型枠１は、その1辺が隙間４より大きいため、隙間４は支柱型枠１によって解消される。支柱型枠１は、多角柱形状またはＬ字型形状の、鉄・銅・アルミ・鉛などの鋳造品または鋼板である。
【図面の簡単な説明】
【０００７】
【図１】多角形支柱型枠斜視図
【図２】空間部分仕切型枠と既存型枠が接合する部分の拡大斜視図
【図３】多角形支柱型枠のうち、代表的な三角柱支柱型枠の斜視図
【図４】他の実施例を示すＬ字型支柱型枠斜視図
【符号の説明】
【０００８】
１.支柱型枠
２.既存型枠
３.空間部分仕切型枠 
４.空間部分仕切型枠と既存型枠とが接合する部分の隙間
【図１】
0003140722.tif 000003
【図２】
0003140722.tif 000004
【図３】
0003140722.tif 000005
【図４】
0003140722.tif 000006
(57)【要約】      （修正有）【課題】片手でチラシなどの紙をワンタッチで止めることのできるクリップであり、マグネットシートを利用して、製造上の手間やコストを安価に抑え、従来からあるプラスチック製の高価なワンタッチクリップと同じ効果を持つ製品を提供する。【解決手段】四角形の小型マグネットシート1の端部をマグネットシート１の裏面側に二つに折り曲げて、折った端部２の裏面を両面テープ３でマグネットシート１本体の裏面部に接合させ、完成したマグネットシート１の端部２は金属板に止めた時、金属板から離れる方向に浮き上がるので紙を挿入させる為の入り口が形成されている。【選択図】図１
0003140723.tif 000002
【実用新案登録請求の範囲】
【請求項１】
一端を裏面側に二つに折り曲げて本体の裏面部と折り曲げた端部の裏面部を接合したマグネットシート。
【請求項２】
前記本体の前記裏面部と折り曲げた前記端部の前記裏面部の接合部分を両面テープを使用して接合した請求項１のマグネットシート。
【請求項３】
前記本体の前記裏面部と折り曲げた前記端部の前記裏面部の接合部分を接着剤を使用して接合した請求項１のマグネットシート。
【請求項４】
本体形状を四角形とした請求項１のマグネットシート。
【請求項５】
本体形状を丸型や変形物とした請求項１のマグネットシート。
【考案の詳細な説明】
【技術分野】
【０００１】
この考案は、片手でメモ紙やチラシなどを差し込んで止められるマグネットシートに関するものである。
【背景技術】
【０００２】
従来の小型マグネットシートは、紙を家庭用冷蔵庫や金属ロッカーなどにクリップとして止めるとき両手を使って紙を挟み込んでいた。すなわち、片手で冷蔵庫からマグネットシートを取り外し、もう片方の手で紙を冷蔵庫の表面に配置して、次に先に外したマグネットシートの磁力で紙を押さえるという三段階の作業過程により用いられている。
【考案の開示】
【考案が解決しようとする課題】
【０００３】
しかしながら、紙を挟み込む際に、両手を使って、上記三段階の作業過程を必要とすることは面倒であり、又、薄いマグネットシートを取り外すことも爪を切った後などは外しにくいという欠点があった。
【０００４】
一方、広告宣伝用に使われ世間に広く普及している小型マグネットシートは、チラシなどを挟んでとめる効果はあっても実際には上記の様に使いづらい欠点を有し、片手で止められるクリップとして、プラスチックで構成された複雑な構造のものが普及しているが高価でありノベルティーとしては向かないなどの欠点があった。
【０００５】
本考案は、片手でチラシなどの紙をワンタッチで止めることのできるクリップとしてマグネットシートを利用して、製造上の手間やコストを安価に抑えて従来からあるプラスチック製の高価なワンタッチクリップと同じ効果を持つ製品にすることを課題とする。
【課題を解決するための手段】
【０００６】
上記課題を解決するために、この考案は以下の手段を提案している。
この考案に係るマグネットシートは、一端を裏面側に二つに折り曲げて本体の裏面部と折り曲げた端部の裏面部を接合したことを特徴とする。
前記本体の前記裏面部と折り曲げた前記端部の前記裏面部の接合部分を両面テープを使用して接合してもよい。
前記本体の前記裏面部と折り曲げた前記端部の前記裏面部の接合部分を接着剤を使用して接合してもよい。
また、本体形状を四角形としてもよい。
また、本体形状を丸型や変形物としてもよい。
【考案の効果】
【０００７】
この考案によれば、マグネットシート１の一端を二つ折りで接合することで、それまで全面が金属面と密着していた従来のマグネットシートと異なり、二つ折りしたマグネットシートの端部から、チラシなどの紙を挿入できるので、紙を片手で挿入することができる。
又、マグネットシートを二つ折りして接合するだけの簡単な構成であるので片手で入るワンタッチクリップを安価に提供することができる。
【考案を実施するための最良の形態】
【０００８】
以下、図１、図２を参照し、この考案の一実施形態に係るマグネットシート１について説明する。
マグネットシート１は、一端を裏面側に二つに折り曲げて本体の裏面部と折り曲げた端部２の裏面部を接合して構成されている。
【０００９】
次に、マグネットシート１の本体の裏面部と折り曲げた端部２の裏面部の接合部分を接合する場合の一例について説明する。
（イ）このとき、四角形のマグネットシート１の一端２の裏面に、幅８ｍｍ前後の両面テープ３を貼り付けた後、はく離紙を剥がす。
（ロ）両面テープを貼り付けたマグネットシート１をシートの端部において１３ｍｍ前後で二つに折り曲げて、マグネットシート１の本体の裏面に四角の形を維持する状態で粘着させる。
（ハ）完成したマグネットシートは、金属板に取り付けた時二つ折りした端部２が金属面に対し離間する方向に紙を挿入する入り口部６が形成される。
なお、二つ折りしたマグネットシート１を接合あるいは固定させる手段としては、両面テープ３の他に接着剤を利用してもよい。
また、マグネットシート本体の形状は、円形や変形体としてもよい。
【００１０】
この考案に係るマグネットシート１によれば、マグネットシート１の一端を二つ折りで接合することで、それまで全面が金属面と密着していた従来のマグネットシートと異なり、二つ折りしたマグネットシートの端部２は、金属面５に対して離れる方向に浮き上がり、チラシなどの紙４を挿入する入り口部６を形成することができる。
その結果、マグネットシート１を外さずに入り口部６から紙を片手で挿入し、クリップとして止めることが出来る。
又、両面テープ３あるいは接着剤を利用して、二つ折りして接合するだけの簡単な製造方法で片手で入るワンタッチクリップを安価に提供できるようになった。
【００１１】
なお、マグネットシート１の全体の形状は様々なものが考えられるが、鋭角の形状になったマグネットシート部分を、二つ折りして接合しても同様の効果を持ち、二つ折り部分が形成できるものであれば形を問わない。
例えば、上記実施の形態においては、四角形のマグネットシート１の一端を二つ折りして両面テープなどで接合する形態でクリップを作成したが、マグネットシート１の形状は四角形に限らず、丸型の外周の一部を二つ折りして両面テープで固定したものとしてもよい。
又、動物などの形をしたマグネットシート１においても、下部に当たる部分を二つ折りすることで同様の効果を持たせることが出来る。
【産業上の利用可能性】
【００１２】
本考案は、従来からある広告宣伝用マグネットシートに、僅かに手を加えるだけで片手で紙を差し込んで止めることが出来るようになり、より便利で安価に利用者に提供できるようになった。
【図面の簡単な説明】
【００１３】
【図１】本考案に係るマグネットシートを示す斜視図である。
【図２】本考案に係るマグネットシートの側面図と使用状態を示す図である。
【図３】本考案に係るマグネットシートの変形例を示す斜視図である。
【符号の説明】
【００１４】
１  マグネットシート
２  端部
３  両面テープ
４  紙
５  金属面
６  入り口部
【図１】
0003140723.tif 000003
【図２】
0003140723.tif 000004
【図３】
0003140723.tif 000005
(57)【要約】      （修正有）【課題】ウェディングドレスの下に着けるパニエの形状について、フリルの裾が捲くれ上がらないパニエを提供する。【解決手段】パニエ５のフリルの縫い付けはフリルの上方２だけでなく、フリルの下方３もベース生地４に縫いつけるパニエ。【選択図】図１
0003140730.tif 000002
【実用新案登録請求の範囲】
【請求項１】
フリルの下方（３）をベース生地（４）に縫いつけることを特徴とするパニエ
【考案の詳細な説明】
【技術分野】
【０００１】    本考案はウェディングドレスの下に着けるパニエの形状に関するものである
【背景技術】
【０００２】    従来のパニエの形状は、図２が示すように、フリル（５）の上方（２）だけを縫っていた、フリル（５）は張りを持たせる必要があり硬く加工してある為に収納で折畳むとしわになり易くパニエを着る時にはしわでフリルの裾（３）が捲くれ上がってしまう
【考案の開示】
【考案が解決しようとする課題】
【０００３】    捲くれ上がったフリル（５）のしわは手で伸ばさなくてはならない面倒がある
フリルを伸ばすのに時間がかかるのでパニエを着せたまま客に待たせてしまう
フリルが伸びない箇所はワイヤー（１）が露出する為にドレスに当たりが出る
【考案が解決するための手段】
【０００４】    以上の課題を解決するために、フリルの下方（３）も叉ベース生地（４）に縫いつけることを特徴とするパニエである
【考案の効果】
【０００５】    パニエのフリル（５）のしわを伸ばして裾まで下げる面倒がなくなる、客を待たせなくなる、ウェディングドレスにワイヤー（１）の当たりが出ない、等の効果がある
【考案を実施するための最良の形態】
【０００６】    フリル（５）の縫い付けはフリルの上方（２）だけでなく、フリルの下方（３）もベース生地（４）に縫い付ける、
フリルの下方は全体でなく部分的縫い付けでも効果はある
【図面の簡単な説明】
【０００７】
【図１】  請求項記載の考案の実施例を示す斜視図である
【図２】  従来のパニエの斜視図である
【符号の説明】
【０００８】      １    ワイヤー
２    フリルの上方
３    フリルの下方
４    ベース生地
５    フリル
【図１】
0003140730.tif 000003
【図２】
0003140730.tif 000004